(57)【要約】【課題】マルチディスプレイシステムにおいて、システムが大規模となっても複雑な制御を必要とせずに経時劣化による表示装置間の輝度ムラを軽減する輝度制御装置を提供する。【解決手段】マルチディスプレイを構成する各表示装置のうち他の表示装置よりも表示画面の輝度が低い第１表示装置の輝度と経過時間との関係を表す情報を記憶する記憶部と、前記各表示装置のうち前記第１表示装置とは異なる第２表示装置の経過時間を計時する計時部と、前記記憶部を参照し、計時結果に対応する経過時間の輝度となるように前記第２表示装置の表示画面の輝度を制御する制御部と、を有する。【選択図】図１
2019148776.tif 000002
【特許請求の範囲】
【請求項１】
マルチディスプレイを構成する各表示装置のうち他の表示装置よりも表示画面の輝度が低い第１表示装置の輝度と経過時間との関係を表す情報を記憶する記憶部と、
前記各表示装置のうち前記第１表示装置とは異なる第２表示装置の経過時間を計時する計時部と、
前記記憶部を参照し、計時結果に対応する経過時間の輝度となるように前記第２表示装置の表示画面の輝度を制御する制御部と、
を有する輝度制御装置。
【請求項２】
前記第１表示装置の表示画面の輝度は、他の表示装置に比べて最も低い輝度である
請求項１記載の輝度制御装置。
【請求項３】
前記制御部は、制御対象の表示装置の表示部の輝度を測定した測定輝度値と、
計時結果に対応する経過時間に応じた輝度を前記記憶部に記憶された情報に基づいて求め、求められた輝度と測定輝度とを比較し、前記測定輝度が前記求められた輝度を越えている場合には、前記第２表示装置の表示画面の輝度を前記求められた輝度となるように制御する
請求項１または請求項２記載の輝度制御装置。
【請求項４】
マルチディスプレイを構成する各表示装置のうち他の表示装置よりも表示画面の輝度が低い第１表示装置の輝度と経過時間との関係を表す情報を記憶する記憶部と、
前記各表示装置のうち前記第１表示装置とは異なる自表示装置の経過時間を計時する計時部と、
前記記憶部を参照し、計時結果に対応する経過時間の輝度となるように自表示装置の表示画面の輝度を制御する制御部と、
を有する表示装置。
【請求項５】
計時部が、マルチディスプレイを構成する各表示装置のうち他の表示装置よりも表示画面の輝度が低い第１表示装置とは異なる第２表示装置の経過時間を計時し、
制御部が、前記第１表示装置の輝度と経過時間との関係を表す情報を記憶する記憶部を参照し、計時結果に対応する経過時間の輝度となるように前記第２表示装置の表示画面の輝度を制御する
輝度制御方法。
【発明の詳細な説明】
【技術分野】
【０００１】
本発明は、輝度制御装置、表示装置、輝度制御方法に関する。
【背景技術】
【０００２】
プロジェクタやモニタなど表示装置を複数台使用し、表示する対象の１つの画面を分割して各表示装置によって投射することで、１つの大画面を構築するマルチディスプレイシステムがある。このようなマルチディスプレイシステムでは、表示装置の初期輝度のばらつきが存在しており、初期輝度が低いほど特定の輝度を維持できる時間が短くなる。そのため、時間が経過することにより初期輝度の低い表示装置から暗くなり大画面内に輝度ムラが発生する。具体例を図６に示す。図６は、初期輝度の異なる表示装置D1、表示装置D2の輝度と経過時間の関係を示している。この図において、縦軸は輝度であり、横軸は経過時間を表す。ある特定の輝度Lpを維持しようとしたとき、表示装置D2は、経過時間が初期の段階（経過時間がほぼ０の時点）における輝度が輝度L0_02であるが、時間Tが経過した後は、輝度Lpより低くなり、輝度Lpを維持できなくなる。一方、表示装置D1は、経過時間が初期の段階（経過時間がほぼ０の時点）における輝度が輝度L0_01であるが、時間T以降においてもしばらくの間は、輝度Lpよりも高い輝度を維持できる。そのため、この維持できる時間の差によって大画面内に輝度ムラが発生する。
【０００３】
これに対し、各表示装置の累計表示時間を通信によって取得し、全ての表示装置の輝度を最も累計使用時間の長い表示装置の輝度へ合わせる手法(特許文献1参照)がある。より具体的には、特許文献1では、表示装置を使用した累計使用時間を、各表示装置どうしで定期的に通信を行うことで取得し、マルチディスプレイシステム内で最も累計使用時間の長い表示装置の輝度を自身が備えるセンサーにより取得して、この輝度に全ての表示装置の輝度を合わせることで輝度ムラを軽減する。
【０００４】
また、別の手法としては、全ての表示装置を単一の測定器に接続し、それぞれの表示装置の輝度・色度を測定して伝送路を介して取得し、基準値にそれぞれ補正することで統一する手法(特許文献2)がある。この特許文献2では、各表示装置の輝度および色度を測定し、測定結果を伝送路を介して取得することで、基準値へ統一することで表示装置間のばらつきを解消する。
【先行技術文献】
【特許文献】
【０００５】
【特許文献１】特開２００４−２９３３２号公報
【特許文献２】特開２０１２−３７６２８号公報
【発明の概要】
【発明が解決しようとする課題】
【０００６】
しかしながら、上述した技術を実現するためには、全表示装置でネットワークを構築し制御処理を行う必要がある。例えば縦方向に１０台、横方向に１０台を並べて合計１００台の表示装置を用いたマルチディスプレイシステムなど、規模の大きなシステムを構成する場合もある。このような場合、全ての表示装置を互いに、または切り替えスイッチやPCなど制御装置と接続したネットワークを構築し制御を行う必要があり、ネットワークが大規模になることにより、制御処理が大規模で複雑なものとなってしまう。特に、このような表示装置間の輝度のばらつきを抑えるために構築されたネットワークとの通信を切断してしまうと、輝度のばらつきを抑える機能がなくなってしまうため、このようなネットワークは維持しなければならない。
【０００７】
本発明は前述の点に鑑みなされたものであり、その目的は、マルチディスプレイシステムにおいて、システムが大規模となっても複雑な制御を必要とせずに経時劣化による表示装置間の輝度ムラを軽減する輝度制御装置、表示装置、輝度制御方法を提供することである。
【課題を解決するための手段】
【０００８】
上述した課題を解決するために、本発明の一態様は、マルチディスプレイを構成する各表示装置のうち他の表示装置よりも表示画面の輝度が低い第１表示装置の輝度と経過時間との関係を表す情報を記憶する記憶部と、前記各表示装置のうち前記第１表示装置とは異なる第２表示装置の経過時間を計時する計時部と、前記記憶部を参照し、計時結果に対応する経過時間の輝度となるように前記第２表示装置の表示画面の輝度を制御する制御部と、を有する輝度制御装置である。
【０００９】
また、本発明の一態様は、マルチディスプレイを構成する各表示装置のうち他の表示装置よりも表示画面の輝度が低い第１表示装置の輝度と経過時間との関係を表す情報を記憶する記憶部と、前記各表示装置のうち前記第１表示装置とは異なる自表示装置の経過時間を計時する計時部と、前記記憶部を参照し、計時結果に対応する経過時間の輝度となるように自表示装置の表示画面の輝度を制御する制御部と、を有する表示装置である。
【００１０】
また、本発明の一態様は、計時部が、マルチディスプレイを構成する各表示装置のうち他の表示装置よりも表示画面の輝度が低い第１表示装置とは異なる第２表示装置の経過時間を計時し、制御部が、前記第１表示装置の輝度と経過時間との関係を表す情報を記憶する記憶部を参照し、計時結果に対応する経過時間の輝度となるように前記第２表示装置の表示画面の輝度を制御する輝度制御方法である。
【発明の効果】
【００１１】
以上説明したように、この発明によれば、マルチディスプレイシステムの規模が大きく場合であっても、複雑な制御を行うことなく輝度ムラを軽減することができる。また、マルチディスプレイシステムにおける各表示装置の間において、輝度のばらつきを抑えるために構築されるネットワークを利用しない状態であっても、輝度ムラを軽減することができる。
【図面の簡単な説明】
【００１２】
【図１】この発明の一実施形態による表示システム１の構成を示す概略ブロック図である。
【図２】輝度維持率情報Lm(t)を表す図である。
【図３】輝度変化情報L(t)を表す図である。
【図４】表示装置１０の動作を説明するフローチャートである。
【図５】第２の実施形態における輝度制御装置の構成を表す概略ブロック図である。
【図６】初期輝度の異なる表示装置D1、表示装置D2の輝度と経過時間の関係を示している。
【発明を実施するための形態】
【００１３】
以下、本発明の一実施形態による表示システム１について図面を参照して説明する。
図１は、この発明の一実施形態による表示システム１の構成を示す概略ブロック図である。
表示システム１は、表示装置１０、表示装置２０、表示装置３０、表示装置４０、映像信号出力装置５０を含んで構成される。この表示装置１０、表示装置２０、表示装置３０、表示装置４０は、縦方向に２台、横方向に２台並ぶように設置される。この表示装置１０、表示装置２０、表示装置３０、表示装置４０は、マルチディスプレイを構成する。これにより、４台並べられた表示装置のそれぞれの画面を１つの画面であると見なして１つの映像信号を表示することができる。
表示装置１０は、輝度測定部１１、記憶部１２、表示部１３、計算部１４を含んで構成される。
輝度測定部１１は、表示装置１０の輝度を測定する。表示装置１０がモニタである場合、輝度測定部１１は、表示装置１０のバックライトの輝度を測定する。
記憶部１２は、各種情報を記憶する。記憶部１２は、各種情報を予め記憶しておいてもよいし、計算部１４や、外部のコンピュータ等から書き込まれる情報を記憶してもよい。
【００１４】
表示部１３は、表示パネルであり、例えば、液晶表示パネルが用いられる。また、この表示部１３にはバックライトが設けられており、後述する計算部１４からの制御信号に応じた輝度で液晶表示パネルを照明する。また、表示部１３は、映像信号出力装置５０から供給される映像信号を表示する。表示部１３は、内部に液晶駆動回路によって液晶表示パネルの各画素の素子を駆動することで、映像信号出力装置５０から送信された映像信号を表示するようにしてもよい。
【００１５】
計算部１４は、輝度のばらつきを低減させるための機能を有する。
例えば、計算部１４は、マルチディスプレイシステム内で最も初期輝度の低い表示装置に着目し、この特性より経過時間と表示輝度の関係L(t)を表す参照データを導出して全表示装置の記憶部にこの参照データをそれぞれ記憶させる。そして、経過時間と表示輝度の関係L(t)に基づいて維持可能な輝度を計算し、現在表示している輝度が経過時間と表示輝度の関係L(t)に基づいて導出された輝度である基準輝度より高くなった場合、経過時間と表示輝度の関係L(t)に従って現在の輝度を随時低下させていくことにより、表示装置の台数が増えても複雑な制御処理を必要とせずに大画面内の輝度ムラを抑えることを可能としている。
【００１６】
計算部１４についてさらに説明する。計算部１４は、マルチディスプレイを構成する各表示装置のうち自表示装置１０以外である他の表示装置の輝度測定部によって輝度が測定された結果である測定輝度値を通信線を介して受信する。この通信線は、輝度の測定結果の送受信が可能なものであれば、任意のものを利用することができる。また、この通信線は、輝度の測定結果を特定の表示装置（例えば表示装置１０）に送信し、後述する輝度変化情報L(t)を送信した後は、除去（取り外し）することができる。なお、ここでは、特定の表示装置に輝度の測定結果を送信する場合について説明するが、輝度の測定結果を送信する先は、表示装置ではなく、コンピュータであってもよい。この場合、コンピュータから各表示装置に測定輝度値を送信する。
【００１７】
また、この測定輝度値は、マルチディスプレイを構成する表示装置を工場から出荷する前の段階で測定し、特定の表示装置に送信し、輝度変化情報L(t)を各表示装置に送信してそれぞれの記憶部に記憶するようにしてもよい。これにより、工場から出荷する際には、通信線が不要になる。また、各表示装置が出荷された後は、設置先においてこれらを組み合わせてマルチディスプレイを構成すればよい。これにより、通信線を維持する必要がない。
【００１８】
計算部１４は、他の表示装置（ここでは、表示装置２０、表示装置３０、表示装置４０）から受信したそれぞれの測定輝度値と、自表示装置１０の輝度測定部１１によって測定された測定輝度値とを比較し、最も輝度の低い表示装置Dxの測定輝度値を輝度L0_minとして決定する。ここで表示装置Ｄｘは、表示装置１０、表示装置２０、表示装置３０、表示装置４０のいずれかである。また、計算部１４は、Ａ／Ｄ変換部を含んで構成されるようにしてもよい。例えば、輝度測定部１１から出力される電気信号がアナログ信号である場合には、このアナログ信号をデジタル信号にＡ／Ｄ変換部によって変換し、得られたデジタル信号を測定輝度値として利用するようにしてもよい。
【００１９】
計算部１４は、輝度L0_minが決定されると、輝度L0_minに対し、経過時間と輝度維持率の関係を表す輝度維持率情報Lm(t)を掛け合わせることにより、経過時間と表示輝度の関係を表す輝度変化情報L(t)を算出し、全ての表示装置の記憶部へ輝度変化情報L(t)を記憶させる。ここでは、計算部１４は、通信線を介して他の表示装置（例えば、表示装置２０、表示装置３０、表示装置４０）に輝度変化情報L(t)を送信する。ここで、各表示装置には、通信を行う通信部が設けられているため、この通信部を介して、計算部１４は、他の表示装置との間で情報の送受信を行うことができる。
【００２０】
ここで、輝度維持率情報Lm(t)と、輝度変化情報L(t)とについてさらに説明する。
図２は、輝度維持率情報Lm(t)を表す図である。縦軸は、輝度維持率（％）を表し、横軸は経過時間を表す。輝度維持率は、表示装置の初期の段階（経過時間がほぼ０時間の時）において、輝度維持率が最も高く（例えば、１００％）、その後、時間が経過するにつれて輝度の維持率が低下する。ここでは、例えばバックライトの光源（例えばＬＥＤ（発光ダイオード））は、発光する時間が長くなると劣化して輝度が低下していく傾向にある。ここでは、輝度維持率は初期の段階における輝度に対して時間が経過した時点における輝度の割合を示す。
【００２１】
図３は、輝度変化情報L(t)を表す図である。縦軸は、輝度L0_minの輝度を表し、横軸は経過時間を表す。輝度L0_minは、表示装置の初期の段階において、最も高い輝度であるが、経過時間が経過するにつれて低下する。
【００２２】
ここで、輝度維持率情報Lm(t)は、マルチディスプレイを構成する表示装置あるいはマルチディスプレイを構成する表示装置と同じ型式の表示装置を用いて、経過時間と輝度維持率の実測を行い、その結果からリーマン近似式などの手段により導出された情報である。
このとき、単純に輝度変化情報L(t)の実測を行い、推定式を導出しない理由としては、輝度変化情報L(t)の実測を行った結果は、表示装置によっては初期輝度のばらつきが大きいためである。そのため、複数の表示装置の初期輝度から一旦、輝度維持率情報Lm(t)を求め、この輝度維持率情報Lm(t)を、輝度L0_minに対して掛け合わせる（乗算する）ことで、この初期輝度のばらつきをなくすことができ、表示装置間でのばらつきを小さくして推定することができる。さらに、複数の表示装置で測定を行い、輝度維持率情報Lm(t)の平均値を求めることにより、一層ばらつきの影響を小さくし精度を向上させることができる。なお、輝度維持率情報Lm(t)は、表示装置の種類にもよるが光源部の温度に大きく依存する場合がある。このような場合には、マルチディスプレイシステムの使用環境(温度)に対応した輝度維持率情報Lm(t)を導出することが好ましい。
【００２３】
ここでは、初期の段階において輝度維持率は１００％であるため、輝度変化情報L(t)において、初期の輝度L0_minは、測定された輝度L0_minそのものである。輝度L0_minに対し、経過時間毎にその経過時間に対応する輝度維持率が乗算されることで、その経過時間に対応する輝度L0_minが求められることで、輝度変化情報L(t)が求められる。
【００２４】
計算部１４は、このように求められた輝度変化情報L(t)を他の表示装置（表示装置２０、表示装置３０、表示装置４０）に送信し、各表示装置の記憶部に記憶させる。また、計算部１４は、求められた輝度変化情報L(t)を記憶部１２に書き込んで記憶させる。
【００２５】
また、計算部１４は、表示部１３によって映像信号を表示した累計の時間である累計表示時間を計測する計時機能を有しており、計時結果を記憶部１２に記憶する。この計測は、計算部１４の内部に設けられたクロックに基づいてカウントすることで測定できる。
計算部１４は、記憶部１２に書き込んだ計時結果と輝度変化情報L（ｔ）とから輝度を求め、求められた輝度となるように表示部１３の輝度を制御する。
【００２６】
表示装置２０の輝度測定部２１と表示装置３０の輝度測定部３１と表示装置４０の輝度測定部４１のそれぞれは、輝度測定部１１と同様の機能を有する。
また、表示装置２０の記憶部２２と表示装置３０の記憶部３２と表示装置４０の記憶部４２のそれぞれは、記憶部１２と同様の機能を有する。
また、表示装置２０の表示部２３と表示装置３０の表示部３３と表示装置４０の表示部４３のそれぞれは、表示部１３と同様の機能を有する。
また、表示装置２０の計算部１４と表示装置３０の計算部３４と表示装置４０の計算部４４のそれぞれは、計算部１４と同様の機能を有する。ただし、計算部１４における輝度L0_minを決定する機能、輝度変化情報L(t)を算出する機能、各表示装置に輝度変化情報L(t)を送信する機能については、計算部１４のみ有するようにしてもよい。また、表示システム１における複数の表示装置が、計算部１４における輝度L0_minを決定する機能、輝度変化情報L(t)を算出する機能、各表示装置に輝度変化情報L(t)を送信する機能を有していたとしても、いずれか１つの表示装置がこれらの機能を実行するようにしてもよい。また、計算部１４における輝度L0_minを決定する機能、輝度変化情報L(t)を算出する機能、各表示装置に輝度変化情報L(t)を送信する機能については、表示装置の外部に別の装置として設けるようにしてもよい。
【００２７】
映像信号出力装置５０は、表示装置１０、表示装置２０、表示装置３０、表示装置４０、のそれぞれに、映像信号を出力する。
【００２８】
次に、表示システム１における表示装置の１０の動作を説明する。
図４は、表示装置１０の動作を説明するフローチャートである。
表示装置１０の輝度測定部１１は、表示部１３のバックライトの輝度を測定する（ステップＳ１０１）。この輝度の測定は、表示部１３を利用する初期の段階で行われることが好ましい。
次に、計算部１４は、初期輝度の最小値を求める（ステップＳ１０２）。ここでは、計算部１４は、表示システム１を構成する自表示装置（表示装置１０）以外である他の表示装置（表示装置２０、表示装置３０、表示装置４０）において測定された測定輝度値を受信する。そして、それぞれの表示装置から受信した測定輝度値と輝度測定部１１によって測定された結果である測定輝度値とを比較し、最も低い輝度の測定輝度値がいずれであるかを判定することで、初期輝度値の最小値を導出する。計算部１４は、導出された測定輝度値の最小値を輝度L0_minとして決定する。ここでは、表示装置１０以外である表示装置２０は輝度測定部２１によって表示部２３のバックライトの輝度を測定し、得られた測定輝度値を表示装置１０に送信する。表示装置３０、表示装置４０も同様に、表示部のバックライトの輝度を測定し、測定輝度値を表示装置１０に送信する。
【００２９】
次に、計算部１４は、記憶部１２から輝度維持率情報Lm(t)を読み出し、輝度L0_minに対してこの輝度維持率情報Lm(t)を掛け合わせることで輝度変化情報L(t)を算出し（ステップＳ１０３）、輝度変化情報L(t)を記憶部１２に記憶する。さらに計算部１４は、輝度変化情報L(t)を、表示システム１を構成する他の表示装置（表示装置２０、表示装置３０、表示装置４０）に送信する（ステップＳ１０４）。これにより、表示装置２０は、輝度変化情報L(t)を記憶部２２に記憶し、表示装置３０は、輝度変化情報L(t)を記憶部３２に記憶し、表示装置４０は、輝度変化情報L(t)を記憶部４２に記憶する。
このステップＳ１０１からステップＳ１０４までの動作は、少なくとも初期設定時のみ実行すればよい。この初期設定が行われた後は、ステップＳ１０１からステップＳ１０４をスキップして、ステップＳ１０５からステップＳ１０７を実行すればよい。
【００３０】
次に、計算部１４は、表示部１１によって映像信号の表示を開始すると、累計表示時間のカウントを開始し、輝度測定部１１によって表示部１１のバックライトの輝度を測定する（ステップＳ１０５）。計算部１４は、累計表示時間と輝度変化情報L(t)とに基づいて、その累計表示時間に対応する経過時間における輝度である最大輝度Lt_maxを算出する（ステップＳ１０６）。この最大輝度Lt_maxは、輝度L0_minに対して、累計表示時間に対応する経過時間における輝度維持率を乗算することで得られる値である。
計算部１４は、測定された現在の輝度Lnと最大輝度Lt_maxとを比較し、輝度Lnが最大輝度Lt_maxより大きいか否かを判定する（ステップＳ１０７）。計算部１４は、輝度Lnが最大輝度Lt_maxより大きい場合には、現在の輝度が最大輝度Lt_maxとなるように表示部１１のバックライトの輝度を下げるように制御する（ステップＳ１０８）。これにより、バックライトは最大輝度Lt_maxで照明する。ステップＳ１０８の後は、ステップＳ１０９に移行する。
一方、計算部１４は、ステップＳ１０７において、輝度Lnが最大輝度Lt_max以下である場合には、累計表示時間を測定し（ステップＳ１０９）、ステップＳ１０５に移行する。
【００３１】
上述したステップＳ１０５からステップＳ１０９の動作は、表示装置２０、表示装置３０、表示装置４０のそれぞれにおいて実行される。
これにより、表示システム１の各表示装置（表示装置１０、表示装置２０、表示装置３０、表示装置４０）の輝度は、各表示装置における累計表示時間に応じた最大輝度Lt_maxの輝度となるようにバックライトの輝度が制御されるため、表示システム１の全体として輝度を略同一にすることができ、輝度のムラを低減することができる。また、ここでは、初期輝度の最小値を利用して求められた輝度変化情報L(t)を利用して輝度を制御するようにしたので、表示システム１を構成する最も輝度が低い表示装置の輝度に合わせるようにして、他の表示装置の輝度を下げることで、輝度のばらつきを低減することができる。ここではまた、表示システム１を構成する最も輝度が低い表示装置の輝度に合わせるように輝度を下げればよいので、表示システム１の中で照明が可能な輝度の範囲において輝度を調整することができる。
【００３２】
以上説明した実施形態において、ステップＳ１０１における初期の輝度の測定では、バックライトの輝度の測定を行うのではなく、表示パネルの裏面から表示パネルを通して表示パネルの表面側に出た光（モニタの全面から発せられる光）を測定してもよい。この場合は、表示部に全白の映像信号を表示して輝度の測定を行ってもよい。例えば、ステップＳ１０５において、現在の輝度Lnを測定するとき、この測定時のみ全白の映像信号を表示するようにしてもよい。
【００３３】
また、ステップＳ１０４において、輝度変化情報L(t)を保存する際、輝度変化情報L(t)ではなく表示輝度対経過時間のルックアップテーブルを保存することもできる。これにより、記憶部の容量は必要とするが、毎回輝度を計算する必要がなくなり、処理の高速化が可能である。
【００３４】
次に、他の実施形態について説明する。
図５は、第２の実施形態における輝度制御装置の構成を表す概略ブロック図である。
記憶部１１０は、マルチディスプレイを構成する各表示装置のうち他の表示装置よりも表示画面の輝度が低い第１表示装置の輝度と経過時間との関係を表す情報を記憶する。この情報は、予め記憶しておくようにしてもよいし、外部の装置から書き込まれることで記憶するようにしてもよい。
計時部１２０は、各表示装置のうち前記第１表示装置とは異なる第２表示装置の経過時間を計時する。
制御部１３０は、記憶部１１０を参照し、計時結果に対応する経過時間の輝度となるように第２表示装置の表示画面の輝度を制御する。
【００３５】
この第２の実施形態における輝度制御装置は、例えば、表示装置に電気的に接続することで、その表示装置の輝度が、マルチディスプレイを構成する各表示装置における輝度のばらつきを低減することができる。
【００３６】
以上説明した実施形態において、記憶部１２、記憶部２２、記憶部３２、記憶部４２、記憶部１１０は、例えば、揮発性メモリまたは不揮発性メモリのどちらか、または両方を用いてもよい。
また、上述した実施形態において、計算部１４、計算部２４、計算部３４、計算部４４、計時部１２、制御部１３０は、例えばＣＰＵ（中央処理装置）等の処理装置若しくは専用の電子回路で構成されてよい。
【００３７】
以上説明した実施形態によれば、初期の段階で各表示装置に設定をしておくことで、その後、各表示装置間において輝度のばらつきを低減させるための通信を行う必要がなくなるため、輝度のばらつきを抑えるためのネットワークを維持しておく必要がない。すなわち、輝度のばらつきを抑えるためのネットワークに接続しない状態であっても、輝度のばらつきを抑えることができる。
【００３８】
なお、上述した実施形態においてマルチディスプレイを構成する表示装置は、モニタである場合について説明したが、プロジェクタであってもよい。この場合、輝度測定部１１は、映像信号が投影されたスクリーンにおける明るさを測定することで、輝度（例えば単位はルーメン）を測定する。
【００３９】
上述した実施形態における計算部１４、計算部２４、計算部３４、計算部４４、計時部１２０、制御部１３０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４０】
以上、この発明の実施形態について図面を参照して詳述してきたが、具体的な構成はこの実施形態に限られるものではなく、この発明の要旨を逸脱しない範囲の設計等も含まれる。
【符号の説明】
【００４１】
１  表示システム
１０、２０、３０、４０  表示装置
１１、２１、３１、４１  輝度測定部
１２、２２、３２、４２  記憶部
１３、２３、３３、４３  表示部
１４、２４、３４、４４  計算部
５０  映像信号出力装置
【図１】
2019148776.tif 000003
【図２】
2019148776.tif 000004
【図３】
2019148776.tif 000005
【図４】
2019148776.tif 000006
【図５】
2019148776.tif 000007
【図６】
2019148776.tif 000008